(57)【要約】【課題】着用者の脚周りに好適にレッグギャザーが形成され、脚周りがすっきり形成された使い捨てパンツ型おむつを提供する。【解決手段】ウェスト開口部と一対の脚開口部を有するパンツ形状に形成された外装部材２と、外装部材２の股部に取り付けられ、トップシート８とバックシート９とこれらの間に配された吸収性コア１０を有する吸収性本体７とを有する使い捨てパンツ型おむつ１であって、吸収性本体７は、外装部材２の外縁よりも幅方向ｘの外方に延在しないように形成され、幅方向ｘの両端部に吸収性コア１０の存在しない辺縁部１１が形成され、外装部材２には、脚開口部の縁に沿って、少なくとも一部が辺縁部１１と重なるように脚部弾性部材１６が設けられ、辺縁部１１は、脚部弾性部材１６と重なる部分で外装部材２に固定されていない。【選択図】図４
2014180346.tif 000002
【特許請求の範囲】
【請求項１】
前腹部と後背部とこれらの間に位置する股部とから構成され、ウェスト開口部と一対の脚開口部を有するパンツ形状に形成された外装部材と、
前記外装部材の股部に取り付けられ、トップシートとバックシートとこれらの間に配された吸収性コアを有する吸収性本体とを有する使い捨てパンツ型おむつであって、
前記吸収性本体は、前記外装部材の外縁よりも幅方向の外方に延在しないように形成され、幅方向の両端部に前記吸収性コアの存在しない辺縁部が形成され、
前記外装部材には、前記脚開口部の縁に沿って、少なくとも一部が前記辺縁部と重なるように脚部弾性部材が設けられ、
前記辺縁部は、前記脚部弾性部材と重なる部分で前記外装部材に固定されていないことを特徴とする使い捨てパンツ型おむつ。
【請求項２】
前記吸収性本体は、前記辺縁部が前記脚部弾性部材と重なる部分よりも幅方向の内方で、前記外装部材に固定されている請求項１に記載の使い捨てパンツ型おむつ。
【請求項３】
前記辺縁部は１０ｍｍ以上の幅で設けられている請求項１または２に記載の使い捨てパンツ型おむつ。
【請求項４】
前記吸収性本体には、幅方向の両側に、前記吸収性コアと前記バックシートの間に股部弾性部材が設けられている請求項１〜３のいずれか一項に記載の使い捨てパンツ型おむつ。
【請求項５】
前記脚部弾性部材は、少なくとも一部が前記股部弾性部材と重なるように設けられ、
前記吸収性本体は、前記股部弾性部材が前記脚部弾性部材と重なる部分で前記外装部材に固定されていない請求項４に記載の使い捨てパンツ型おむつ。
【請求項６】
前記脚部弾性部材は、前記脚開口部の前側の縁に沿って延び、前記股部を幅方向に横切って延びる前側脚部弾性部材と、前記脚開口部の後側の縁に沿って延び、前記股部を幅方向に横切って延びる後側脚部弾性部材とから構成され、
前記前側脚部弾性部材と前記後側脚部弾性部材は、前記股部を幅方向に横切る部分で断続的に設けられている請求項１〜５のいずれか一項に記載の使い捨てパンツ型おむつ。
【請求項７】
前記辺縁部は、前記脚部弾性部材と重なる部分の前側端から後側端に至る領域で前記外装部材に固定されていない請求項１〜６のいずれか一項に記載の使い捨てパンツ型おむつ。
【発明の詳細な説明】
【技術分野】
【０００１】
本発明は、幼児用または大人用の使い捨てパンツ型おむつに関するものである。
【背景技術】
【０００２】
従来、使い捨てパンツ型おむつが広く知られており、使い捨てパンツ型おむつは、例えば、パンツ形状に形成された外装部材の股部に、トップシートとバックシートの間に吸収性コアが配された吸収性本体が取り付けられて構成されている。例えば特許文献１〜３には、このように構成された使い捨てパンツ型おむつが開示されている。
【先行技術文献】
【特許文献】
【０００３】
【特許文献１】特開２０１０−０９４１８２号公報
【特許文献２】特開２００４−４９７６３号公報
【特許文献３】特開平８−２８０７３９号公報
【発明の概要】
【発明が解決しようとする課題】
【０００４】
使い捨てパンツ型おむつには一般に、脚開口部の縁に沿って脚部弾性部材が設けられており、脚部弾性部材によって着用者の脚周りに沿ったレッグギャザーが形成され、股部からの尿等の排泄物の漏れが防止される。また、脚部弾性部材によって着用者の脚周りがすっきりと形成され、おむつの着用感も向上する。使い捨てパンツ型おむつは、脚部弾性部材を設けることによりこのような効果が得られるものの、実際に着用者が使い捨てパンツ型おむつを着用して動いていると、レッグギャザーが着用者のそけい部付近に集まって、着用者の脚周りで部分的にレッグギャザーによる締め付けがきつくなって着用感が低下することがある。
【０００５】
本発明は前記事情に鑑みてなされたものであり、その目的は、着用者の脚周りに好適にレッグギャザーが形成され、脚周りがすっきり形成された使い捨てパンツ型おむつを提供することにある。
【課題を解決するための手段】
【０００６】
前記課題を解決することができた本発明の使い捨てパンツ型おむつとは、前腹部と後背部とこれらの間に位置する股部とから構成され、ウェスト開口部と一対の脚開口部を有するパンツ形状に形成された外装部材と、外装部材の股部に取り付けられ、トップシートとバックシートとこれらの間に配された吸収性コアを有する吸収性本体とを有する使い捨てパンツ型おむつであって、吸収性本体は、外装部材の外縁よりも幅方向の外方に延在しないように形成され、幅方向の両端部に吸収性コアの存在しない辺縁部が形成され、外装部材には、脚開口部の縁に沿って、少なくとも一部が辺縁部と重なるように脚部弾性部材が設けられ、辺縁部は、脚部弾性部材と重なる部分で外装部材に固定されていないところに特徴を有する。
【０００７】
本発明の使い捨てパンツ型おむつは、外装部材の脚部弾性部材が設けられた部分が着用者のそけい部に辺縁部を介して当たりやすくなり、その結果、着用者の股間部からそけい部にかけて、外装部材の脚部弾性部材が設けられた部分の滑りが良くなる。そのため、脚部弾性部材によって形成されたレッグギャザーが着用者のそけい部付近に集まりにくくなり、着用者の脚周りで満遍なくレッグギャザーが形成されやすくなり、おむつの着用感が向上するとともに、股部からの尿等の漏れも防止されやすくなる。また、おむつを着用した際に、辺縁部が外装部材から大きくはみ出しにくくなり、おむつの脚周りがすっきりと形成される。
【０００８】
吸収性本体は、辺縁部が脚部弾性部材と重なる部分よりも幅方向の内方で、外装部材に固定されていることが好ましい。このように吸収性本体が外装部材に固定されていれば、辺縁部が、外装部材の脚部弾性部材が設けられた部分の動きにつられて移動しにくくなり、外装部材の脚部弾性部材が設けられた部分が辺縁部に対して滑るように形成されやすくなる。
【０００９】
辺縁部は１０ｍｍ以上の幅で設けられていることが好ましい。このように辺縁部が形成されれば、辺縁部が脚部弾性部材と広い範囲で重なるようになり、着用者の脚周りで満遍なくレッグギャザーが形成されやすくなる。
【００１０】
辺縁部は、脚部弾性部材と重なる部分の前側端から後側端に至る領域で外装部材に固定されていないことが好ましい。このような範囲にわたって辺縁部が外装部材に固定されていなければ、外装部材の脚部弾性部材が設けられた部分が広範囲にわたって着用者の脚周りで移動しやすくなり、着用者の脚周りで満遍なくレッグギャザーが形成されやすくなる。
【００１１】
吸収性本体には、幅方向の両側に、吸収性コアとバックシートの間に股部弾性部材が設けられることが好ましい。股部弾性部材が設けられることにより、吸収性コアが着用者の肌に向かって持ち上げられ、着用者から排泄された尿等を好適に受けることができるようになる。また、おむつ着用の際、吸収性本体の辺縁部が着用者の肌近くに位置しやすくなり、外装部材の脚部弾性部材が設けられた部分が、辺縁部を適切に挟みこむようにして着用者の肌に当たりやすくなる。
【００１２】
吸収性本体に股部弾性部材が設けられる場合、脚部弾性部材は少なくとも一部が股部弾性部材と重なるように設けられてもよい。この場合、吸収性本体は、股部弾性部材が脚部弾性部材と重なる部分で外装部材に固定されていないことが好ましい。このように吸収性本体と外装部材が構成されていれば、脚部弾性部材と股部弾性部材が互いに独立して収縮して、それぞれの弾性部材の機能を好適に発揮しやすくなる。
【００１３】
脚部弾性部材は、脚開口部の前側の縁に沿って延び、股部を幅方向に横切って延びる前側脚部弾性部材と、脚開口部の後側の縁に沿って延び、股部を幅方向に横切って延びる後側脚部弾性部材とから構成されてもよい。この場合、前側脚部弾性部材と後側脚部弾性部材は、股部を幅方向に横切る部分で断続的に設けられていることが好ましい。このように前側脚部弾性部材と後側脚部弾性部材が形成されれば、外装部材は股部で幅方向の内方に収縮する力が作用しにくくなり、おむつを着用した際に辺縁部が外装部材から大きくはみ出しにくくなる。
【発明の効果】
【００１４】
本発明の使い捨てパンツ型おむつによれば、着用者の脚周りで満遍なくレッグギャザーが形成されやすくなり、おむつの着用感が向上するとともに、股部からの尿等の漏れ防止効果も向上する。また、おむつを着用した際に、辺縁部が外装部材から大きくはみ出しにくくなり、おむつの脚周りがすっきりと形成される。
【図面の簡単な説明】
【００１５】
【図１】本発明の使い捨てパンツ型おむつの一例を表し、使い捨てパンツ型おむつの斜視図を表す。
【図２】図１に示した使い捨てパンツ型おむつの前腹部と後背部との接合を解いて展開した状態を肌側面から見た平面図を表す。
【図３】図１に示した使い捨てパンツ型おむつの前腹部と後背部との接合を解いて展開した状態を外側面から見た平面図を表す。
【図４】図２および図３に示した使い捨てパンツ型おむつのＡ−Ａ断面図を表す。
【発明を実施するための形態】
【００１６】
本発明の使い捨てパンツ型おむつについて、図面を参照して説明する。なお本発明は、図面に示された実施態様に限定されるものではない。図１〜図４には、本発明の使い捨てパンツ型おむつの一例を示す。図１は使い捨てパンツ型おむつの斜視図を表し、図２は、図１に示した使い捨てパンツ型おむつの前腹部と後背部との接合を解いて平面に展開した状態を肌側面から見た図を表し、図３は、図１に示した使い捨てパンツ型おむつの前腹部と後背部との接合を解いて平面に展開した状態を外側面から見た図を表し、図４は、図２および図３に示した使い捨てパンツ型おむつのＡ−Ａ断面図を表す。なお図面では、矢印ｘが幅方向、矢印ｙが前後方向を表し、矢印ｘ，ｙにより形成される面に対して垂直方向が厚み方向ｚを表す。
【００１７】
本発明の使い捨てパンツ型おむつ１は、ウェスト開口部３と一対の脚開口部４を有するパンツ形状に形成された外装部材２を有する。ウェスト開口部３は着用者の胴を通すための開口であり、脚開口部４は着用者の脚を通すための開口である。
【００１８】
外装部材２は、前腹部Ｐと後背部Ｑとこれらの間に位置する股部Ｒとから構成される。外装部材２は、例えば、前腹部Ｐと後背部Ｑとを幅方向ｘの両端の接合部１５で接合することによりパンツ形状に形成される。前腹部Ｐは、おむつを着用の際に着用者の腹側に当てる部分に相当し、後背部Ｑは、おむつを着用の際に着用者の背側に当てる部分に相当する。股部Ｒは、前腹部Ｐと後背部Ｑとの間に位置し、着用者の股間に当てる部分に相当する。股部Ｒの幅方向の両側には、脚開口部４が形成される。股部Ｒは、例えば、外装部材２の前腹部Ｐと後背部Ｑとの接合を解いて平面に展開した状態で、外装部材２を前後方向に３分割した中間に位置する部分であり、パンツ形状に形成された場合に幅方向ｘの両側で互いに接合されない。
【００１９】
使い捨てパンツ型おむつにおいて、前後方向とは、前腹部Ｐから後背部Ｑにかけての方向を意味し、おむつを着用した際の着用者の股間の前後方向に相当する。幅方向とは、おむつを着用した際の着用者の左右方向に相当する。使い捨てパンツ型おむつの肌側面とは、おむつを着用した際、着用者の肌に向く側の面を意味する。使い捨てパンツ型おむつの外側面とは、おむつを着用した際、着用者とは反対側を向く面を意味する。
【００２０】
外装部材２は、１層のみから構成されていてもよく、複数層から構成されていてもよい。好ましくは、外装部材２は、外側シート５と、外側シート５の肌側面に積層された内側シート６から構成される。
【００２１】
外装部材２の股部Ｒには、吸収性本体７が取り付けられている。吸収性本体７は、トップシート８とバックシート９とこれらの間に配された吸収性コア１０を有する（図４参照）。トップシート８は吸収性コア１０よりも着用者側に配され、バックシート９は吸収性コア１０よりも外側（着用者の反対側）に配される。吸収性本体７は、バックシート９が外装部材２の肌側面に取り付けられる。吸収性本体７は、外装部材２の少なくとも股部Ｒに存在すればよく、さらに前腹部Ｐおよび／または後背部Ｑに延在してもよい。
【００２２】
吸収性コア１０の形状（平面形状）は特に限定されない。吸収性コア１０の形状としては、例えば、略長方形、砂時計型、ひょうたん型、羽子板型等が挙げられる。図２および図３では、吸収性コア１０は略長方形状に形成されている。
【００２３】
外装部材２には、脚開口部４の縁に沿って、脚部弾性部材１６が設けられている。図面では、脚部弾性部材１６は、脚開口部４の前側の縁に沿って設けられる前側脚部弾性部材１６Ａと、脚開口部４の後側の縁に沿って設けられる後側脚部弾性部材１６Ｂとから構成されている。前側脚部弾性部材１６Ａと後側脚部弾性部材１６Ｂとにより、脚開口部４の縁のほぼ全周にわたり弾性部材が設けられる。脚部弾性部材１６により、着用者の脚周りに沿ったレッグギャザーが形成され、股部からの尿等の排泄物の漏れが防止される。図面では、前側脚部弾性部材１６Ａと後側脚部弾性部材１６Ｂが互いに離間して設けられているが、前側脚部弾性部材１６Ａと後側脚部弾性部材１６Ｂは互いに接していたり交差していてもよい。また、左右の脚開口部４の縁に沿ってそれぞれ異なる脚部弾性部材が設けられてもよい。脚部弾性部材は、少なくとも一部が前後方向ｙに対して斜めに延びるように設けられることが好ましい。
【００２４】
ところで使い捨てパンツ型おむつでは、外装部材の脚部弾性部材が設けられている部分が直接着用者の肌に当たると、外装部材が着用者の肌に対して滑りが悪くなり、使い捨てパンツ型おむつを着用した状態で動いていると、脚部弾性部材によって形成されたレッグギャザーが着用者のそけい部付近に集まりやすくなる。その結果、着用者の脚周りで部分的にレッグギャザーによる締め付けがきつくなって着用感が低下する。特に、着用者が汗をかいたりすると、外装部材の脚部弾性部材が設けられている部分の肌に対する滑りが低下しやすくなる。
【００２５】
そこで本発明の使い捨てパンツ型おむつ１では、吸収性本体７の幅方向ｘの両端部に吸収性コア１０の存在しない辺縁部１１を設け、辺縁部１１が脚部弾性部材１６の少なくとも一部と重なるようにして、脚部弾性部材１６と重なる部分で辺縁部１１を外装部材２に固定させないようにしている。すなわち、外装部材２には、脚開口部４の縁に沿って、少なくとも一部が辺縁部１１と重なるように脚部弾性部材１６が設けられ、辺縁部１１は脚部弾性部材１６と重なる部分で外装部材２に固定されていない。なお、図３では吸収性本体７が外装部材２に固定されている箇所をクロスハッチングで表し、図４では×印で表している。また本発明において、吸収性本体と外装部材の位置関係は、使い捨てパンツ型おむつに配される弾性部材を完全に伸張させた状態（すなわち、弾性部材を除去した状態あるいは弾性部材を細かく切断して弾性部材の収縮力が発現しない状態）で規定する。後述する様々な長さの好適範囲に関しても、同様の条件で測定される。図２および図３では、弾性部材を完全に伸張させた状態の使い捨てパンツ型おむつの展開平面図を示している。
【００２６】
使い捨てパンツ型おむつ１は上記のように構成される結果、外装部材２の脚部弾性部材１６が設けられた部分が着用者のそけい部に辺縁部１１を介して当たりやすくなり、着用者の股間部からそけい部にかけて、外装部材２の脚部弾性部材１６が設けられた部分の滑りが良くなる。しかも、外装部材２の脚部弾性部材１６が設けられた部分は、比較的剛性の高い吸収性コア１０と重なるのではなく、吸収性コア１０の存在しない辺縁部１１と重なるため、脚部弾性部材１６の収縮力による脚周りの締め付け効果も好適に発揮されるようになる。その結果、着用者のそけい部付近に、脚部弾性部材１６によって形成されたレッグギャザーが着用者のそけい部付近に集まりにくくなり、着用者の脚周りで満遍なくレッグギャザーが形成されやすくなる。そのため、おむつの着用感が向上するとともに、股部からの尿等の漏れも防止されやすくなる。
【００２７】
さらに本発明の使い捨てパンツ型おむつ１では、吸収性本体７が外装部材２の外縁よりも幅方向ｘの外方に延在しないように形成されている。詳細には、おむつに配される弾性部材を完全に伸張させた状態で、吸収性本体７が外装部材２の外縁よりも幅方向ｘの外方に延在しないように形成されている。使い捨てパンツ型おむつ１はこのように構成される結果、おむつ着用の際に、辺縁部１１が外装部材２から大きくはみ出しにくくなり、おむつの脚周りがすっきりと形成される。これについて詳しく説明すると、おむつに配されている弾性部材を完全に伸張させた状態では、吸収性本体７の辺縁部１１が外装部材２からはみ出していなくても、おむつを着用した際には、脚部弾性部材１６の収縮力によって外装部材２が縮んで、辺縁部１１が外装部材２からはみ出てしまう場合がある。そのため、おむつを着用した際にも辺縁部１１が外装部材２から大きくはみ出さないようにするために、本発明の使い捨てパンツ型おむつ１では、吸収性本体７が外装部材２の外縁よりも幅方向ｘの外方に延在しないように形成されている。
【００２８】
辺縁部１１は、吸収性本体７の幅方向ｘの両端部において、吸収性コア１０が存在しない部分に相当する。すなわち、吸収性本体７は、吸収性コア１０の幅方向ｘの端縁より外方に辺縁部１１が形成される。辺縁部１１は、吸収性本体７の幅方向ｘの端縁を含む部分として規定される。図４では、バックシート９がトップシート８よりも幅広に形成され、バックシート９が吸収性本体７の幅方向ｘの端縁で折り返されることにより、吸収性コア１０の存在しない辺縁部１１が形成されている。このとき、折り返されたバックシート９どうしは、接着剤等の接合手段で互いに接合していることが好ましい。なお図面には示されていないが、辺縁部１１はトップシート８とバックシート９が積層されて構成されてもよく、トップシート８により構成されてもよい。
【００２９】
辺縁部１１はある程度の幅を有するように設けられることが好ましい。具体的には、辺縁部１１は１０ｍｍ以上の幅で設けられることが好ましく、１５ｍｍ以上がより好ましく、２０ｍｍ以上がさらに好ましい。このように辺縁部１１が形成されれば、辺縁部１１と脚部弾性部材１６とが広い範囲で重なるようになり、着用者の脚周りで満遍なくレッグギャザーが形成されやすくなる。一方、辺縁部１１の幅が広すぎても、吸収性コア１０の設置可能な部分が減っておむつの吸収能力が低下するため、辺縁部１１の幅は５０ｍｍ以下が好ましく、４０ｍｍ以下がより好ましい。なお辺縁部１１の幅とは、辺縁部１１の幅方向ｘに対する最大長さを意味する。
【００３０】
吸収性本体７の幅については、上記に説明したように、吸収性本体７が外装部材２の外縁から幅方向ｘに延在しないように形成されればよいが、吸収性本体７の幅が狭すぎると、おむつを着用した際に着用者のそけい部付近で辺縁部１１と脚部弾性部材１６とが十分に重ならなくなるおそれがある。従って、吸収性本体７の幅（幅方向ｘに対する最大長さ）は、外装部材２の股部Ｒの最も幅狭な部分の幅と同じかそれよりも広く形成されることが好ましい。より好ましくは、図２および図３に示すように、吸収性本体７の幅は、外装部材２の股部Ｒの最も幅狭な部分の幅よりも広く形成される。
【００３１】
辺縁部１１は、吸収性本体７の前後方向ｙの全体にわたって設けられてもよく、一部のみに設けられてもよい。例えば、吸収性コア１０が砂時計型の形状である場合などは、辺縁部１１は吸収性本体７の前後方向ｙの中央部に形成され、吸収性本体７の前後方向ｙの両端部には形成されない場合もある。
【００３２】
辺縁部１１は、少なくとも脚部弾性部材１６と重なる部分で外装部材２に固定されていなければよいが、好ましくは、辺縁部１１は前後方向ｙにある程度広い範囲で外装部材２に固定されない。従って、図３に示すように、辺縁部１１は、脚部弾性部材１６と重なる部分の前側端から後側端に至る領域で外装部材２に固定されていないことが好ましい。その結果、外装部材２の脚部弾性部材１６が設けられた部分が広範囲にわたって着用者の脚周りで移動しやすくなり、着用者の脚周りで満遍なくレッグギャザーが形成されやすくなる。なお、吸収性本体７の前後方向ｙの両端部では辺縁部１１は外装部材２に固定されていることが好ましく、その結果、おむつを着用した状態でも辺縁部１１が常に幅方向ｘの外方に向かって延びて、辺縁部１１が脚部弾性部材１６と重なりやすくなる。
【００３３】
一方、吸収性本体７は、辺縁部１１が脚部弾性部材１６と重なる部分よりも幅方向ｘの内方部分で、外装部材２に固定されていることが好ましい。このように吸収性本体７が外装部材２に固定されていれば、辺縁部１１が、外装部材２の脚部弾性部材１６が設けられた部分の動きにつられて移動にくくなり、外装部材２の脚部弾性部材１６が設けられた部分が辺縁部１１に対して滑るように形成されやすくなる。その結果、脚部弾性部材１６によって形成されたレッグギャザーが着用者のそけい部付近に集まりにくくなり、着用者の脚周りで満遍なくレッグギャザーが形成されやすくなる。
【００３４】
吸収性本体７には、吸収性コア１０の幅方向ｘの両側に立ち上がりフラップ１３が設けられることが好ましい（図２および図４参照）。立ち上がりフラップ１３を設けることにより、尿等の排泄物の横漏れを防ぐことができる。立ち上がりフラップ１３は、液不透過性であることが好ましい。
【００３５】
立ち上がりフラップ１３が立ち上がった状態の上端部（着用者側の端部）には、起立用弾性部材１４が設けられることが好ましい。起立用弾性部材１４の収縮力により、立ち上がりフラップ１３が起立しやすくなる。
【００３６】
立ち上がりフラップ１３は、立ち上がる基点となる起立基部が、吸収性本体７の幅方向ｘの端縁よりも内方に位置することが好ましく、吸収性コア１０の幅方向ｘの端縁近傍に位置することが好ましい。このように立ち上がりフラップ１３が設けられることにより、辺縁部１１が立ち上がりフラップ１３につられて立ち上がりにくくなり、おむつ着用の際に、辺縁部１１が着用者の肌と外装部材２との間に位置しやすくなる。例えば、立ち上がりフラップ１３の起立基部は、吸収性本体７の幅方向ｘの端縁から１０ｍｍ以上内方にあることが好ましく、１５ｍｍ以上内方にあることがより好ましく、２０ｍｍ以上内方にあることがさらに好ましい。
【００３７】
吸収性本体７には、幅方向ｘの両側に、吸収性コア１０とバックシート９の間に股部弾性部材１２が設けられていることが好ましい（図３および図４参照）。股部弾性部材１２は前後方向ｙに延びるように設けられることが好ましい。股部弾性部材１２が設けられることにより、吸収性コア１０が着用者の肌に向かって持ち上げられ、着用者から排泄された尿等を好適に受けることができるようになる。また、おむつ着用の際、吸収性本体７の辺縁部１１の根元が着用者の肌近くに位置しやすくなり、その結果、外装部材２の脚部弾性部材１６が設けられた部分が、辺縁部１１を適切に挟みこむようにして、着用者の肌に当たりやすくなる。なお、辺縁部１１には弾性部材は設けられないことが好ましい。
【００３８】
股部弾性部材１２は、吸収性コア１０の幅方向ｘの端縁近傍に設けられることが好ましい。具体的には、股部弾性部材１２は、吸収性コア１０の幅方向ｘの端縁から４０ｍｍ以内の領域に設けられることが好ましく、３０ｍｍ以内の領域に設けられることがより好ましい。このように股部弾性部材１２が設けられれば、股部弾性部材１２の収縮力によって吸収性コア１０の幅方向ｘの両端部が持ち上げられ、着用者から排泄された尿等を好適に受けることができるようになる。
【００３９】
股部弾性部材１２を構成する弾性部材の本数は特に限定されない。図３および図４では、股部弾性部材１２は幅方向ｘの両側にそれぞれ１本ずつ配されているが、それぞれ複数本配されてもよい。
【００４０】
吸収性本体７は、股部弾性部材１２が設けられた部分において、外装部材２に固定されていないことが好ましい。すなわち、吸収性本体７は、辺縁部１１から股部弾性部材１２が設けられた部分にかけて、外装部材２に固定されていないことが好ましい。吸収性本体７が、股部弾性部材１２が設けられた部分において外装部材２に固定されていなければ、股部弾性部材１２の収縮力によって吸収性本体７の幅方向ｘの両端部が外装部材２から離れて持ち上がり、着用者から排泄された尿等を好適に受けることができるようになる。
【００４１】
吸収性本体７に股部弾性部材１２が設けられる場合、脚部弾性部材１６は、少なくとも一部が股部弾性部材１２と重なるように設けてもよい。この場合、吸収性本体７は、股部弾性部材１２が脚部弾性部材１６と重なる部分で外装部材２に固定されていないことが好ましい。すなわち、吸収性本体７は、脚部弾性部材１６が辺縁部１１と重なる部分から股部弾性部材１２と重なる部分にかけて、連続的に外装部材２に固定されていないことが好ましい。このように吸収性本体７と外装部材２が固定されていれば（あるいは固定されていなければ）、脚部弾性部材１６と股部弾性部材１２が互いに独立して収縮して、それぞれの弾性部材の機能を好適に発揮しやすくなる。好ましくは、吸収性本体７は、股部弾性部材１２が脚部弾性部材１６と重なる部分の前側端から後側端に至る領域で、外装部材２に固定されていないことが好ましい。
【００４２】
吸収性本体７が、股部弾性部材１２が設けられた部分で外装部材２に固定されていない場合、吸収性本体７は、当該部分よりも幅方向ｘの内方で外装部材２に固定されることが好ましい。このように吸収性本体７が外装部材２に固定されていれば、吸収性本体７は幅方向ｘの中央部が窪んで形成されやすくなり、着用者から排泄された尿等を好適に受けることができるようになる。また、辺縁部１１が、外装部材２の脚部弾性部材１６が設けられた部分の動きにつられて移動にくくなり、外装部材２の脚部弾性部材１６が設けられた部分が辺縁部１１に対して滑るように形成されやすくなる。
【００４３】
吸収性本体７の前後方向ｙの両端部では、吸収性本体７の幅方向ｘの両端部が捲れ上がるのを防止するために、幅方向ｘの全体にわたって外装部材２に固定されることが好ましい。吸収性本体７は、例えば図３に示すように、略Ｉ字状に形成された接合領域で外装部材２に固定されることが好ましい。吸収性本体７は、例えば、接着剤等の固定手段により、外装部材２に固定されればよい。
【００４４】
脚部弾性部材１６は、図面に示すように、脚開口部４の前側の縁に沿って延び、股部Ｒを幅方向ｘに横切って延びる前側脚部弾性部材１６Ａと、脚開口部４の後側の縁に沿って延び、股部Ｒを幅方向ｘに横切って延びる後側脚部弾性部材１６Ｂとから構成されていることが好ましい。このように脚部弾性部材１６が設けられていれば、外装部材２を連続製造する際に、外装部材２に脚部弾性部材１６を容易に配設できる。
【００４５】
上記のように脚部弾性部材１６が設けられる場合、前側脚部弾性部材１６Ａと後側脚部弾性部材１６Ｂは股部Ｒを幅方向ｘに横切る部分で断続的に設けられることが好ましい。具体的には、吸収性本体７の幅方向ｘの両端部に形成された辺縁部１１の間で、前側脚部弾性部材１６Ａと後側脚部弾性部材１６Ｂが断続的に設けられることが好ましい。このように前側脚部弾性部材１６Ａと後側脚部弾性部材１６Ｂが設けられれば、外装部材２は股部で幅方向ｘの内方に収縮する力が作用しにくくなり、おむつを着用した際にも辺縁部１１が外装部材２から大きくはみ出しにくくなる。また、吸収性本体７が股部Ｒで歪みにくくなり、吸収性本体７が着用者から排泄された尿等を好適に受けやすくなる。脚部弾性部材１６を断続的に設ける方法としては、例えば、脚部弾性部材１６を外装部材２に固定した後、脚部弾性部材１６をカッター等で切断すればよい。この際、脚部弾性部材１６は複数箇所で切断することが好ましい。
【００４６】
脚部弾性部材１６を構成する弾性部材の本数は特に限定されない。図面では、前側脚部弾性部材１６Ａと後側脚部弾性部材１６Ｂはそれぞれ２本ずつ配されているが、それぞれ１本ずつ配されてもよく、３本以上配されてもよい。
【００４７】
外装部材２の前後方向ｙの端部には、ウェスト開口部３の縁に沿って、複数の腰部弾性部材１７が設けられることが好ましい。腰部弾性部材１７により着用者の腰周りに沿ったウェストギャザーが形成され、背中側や腹部側からの尿等の排泄物の漏れが防止される。
【００４８】
外装部材２の前腹部Ｐと後背部Ｑには、幅方向ｘに延びる複数の胴部弾性部材１８が設けられることが好ましい。胴部弾性部材１８は、腰部弾性部材１７と脚開口部４の間に、腰部弾性部材１７よりも広い間隔で配されることが好ましく、胴部弾性部材１８により、着用者の胴回りのフィット性が高められる。
【００４９】
外装部材２に設けられる脚部弾性部材１６、腰部弾性部材１７、胴部弾性部材１８については、図面に示すように外装部材２が外側シート５と内側シート６とから構成されている場合は、外側シート５と内側シート６の間に配されることが好ましい。
【００５０】
使い捨てパンツ型おむつに設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度１００〜２，５００ｄｔｅｘのポリウレタン糸を、倍率１．１〜５．０倍に伸張して配設し、固定する。接着剤としては、ゴム系のホットメルト接着剤を用いることが好ましい。
【００５１】
本発明の使い捨てパンツ型おむつを構成する各部材の材料について説明する。トップシートは、おむつ着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００５２】
バックシートは、おむつ着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００５３】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。この場合、内側シートとしてはトップシートに使用可能なシート材料を用いることができ、外側シートとしてはバックシートに使用可能なシート材料を用いることができる。
【００５４】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００５５】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００５６】
吸収性材料は、尿等の吸収速度を高める点から、親水性繊維を含むことが好ましい。また、吸収容量を高める点からは、吸収性材料は吸水性樹脂を含むことが好ましい。従って、吸収性コアは親水性繊維（特にパルプ繊維）と吸水性樹脂を含むことが好ましい。この場合、例えば、親水性繊維の集合体に吸水性樹脂を混合または散布したものを用いることが好ましい。
【００５７】
吸収性コアは、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００５８】
シート状吸収体としては、吸収性材料として吸水性繊維を用いてもよい。この場合もまた、シート状吸収体が嵩張らず薄型に形成される。吸水性繊維としては、プロトン化または塩形成したカルボキシル基を含有する繊維が挙げられる。例えば、特公昭５２−４２９１６号公報に開示されるように、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【符号の説明】
【００５９】
１：  使い捨てパンツ型おむつ
２：  外装部材
３：  ウェスト開口部
４：  脚開口部
７：  吸収性本体
８：  トップシート
９：  バックシート
１０：  吸収性コア
１１：  辺縁部
１２：  股部弾性部材
１６，１６Ａ，１６Ｂ：  脚部弾性部材
Ｐ：  前腹部
Ｑ：  後背部
Ｒ：  股部
【図１】
2014180346.tif 000003
【図２】
2014180346.tif 000004
【図３】
2014180346.tif 000005
【図４】
2014180346.tif 000006